(57)【要約】【課題】  電動マスカラブラシを安全に作動させることができ、誤接触により不用意にオン（閉回路状態）することを防ぐ電動マスカラブラシを提供する。【解決手段】  誤接触防止簡易スイッチを有する電動マスカラブラシは、本体１、マスカラブラシ棒２及び瓶体４を備える。本体１は、電源電気回路アッセンブリ１０及び駆動モータ１１が配置されている収納空間を内部に有する。駆動モータ１１は、電気回路コントロールスイッチ１２により制御され、モータ回転軸に連動部材が配置されている。マスカラブラシ棒２は、一方の端部に連動部材１１０が同軸で接続され、他方の端部にマスカラブラシヘッド２０が配置されている。瓶体４には、マスカラブラシ棒２が収納され、スリーブ３が瓶口に螺合されている。【選択図】  図１
0003165582.tif 000002
【実用新案登録請求の範囲】
【請求項１】
誤接触防止簡易スイッチを具備する電動マスカラブラシであって、
本体、マスカラブラシ棒及び瓶体を備えてなり、
前記本体は、電源電気回路アッセンブリ及び駆動モータが配置されている収納空間を内部に有し、前記駆動モータは、電気回路コントロールスイッチにより制御され、モータ回転軸に連動部材が配置され、
前記マスカラブラシ棒は、一方の端部に前記連動部材が同軸で接続され、他方の端部にマスカラブラシヘッドが配置され、
前記瓶体には、前記マスカラブラシ棒が収納され、スリーブが瓶口に螺合され、
スライド式コントロールスイッチのスライドブロックの端部には、隠れるように保持軸が延設され、前記スライドブロックは、前記瓶体に前記本体を嵌合させると、前記瓶体の縁部に前記保持軸が当接され、突出された前記保持軸により前記スイッチが閉回路状態になり、前記瓶体から前記本体を外すと、前記スライドブロックが開回路の位置に移動し、電動マスカラブラシを安全に作動させることを特徴とする誤接触防止簡易スイッチを具備する電動マスカラブラシ。
【考案の詳細な説明】
【技術分野】
【０００１】
本考案は、化粧用具に関するものであり、さらに詳しくは、電動マスカラブラシに関するものであり、特に、誤接触防止簡易スイッチを具備する電動マスカラブラシに関するものである。
【背景技術】
【０００２】
従来の電動回転マスカラブラシの構造は、主に、睫毛を化粧するときの利便性及びスピード性を考慮して設計されている。
【０００３】
しかし、従来の電動回転マスカラブラシには、以下のような欠点が指摘されてきた。例えば、一般に電動回転マスカラブラシ製品は、ユーザーが外出する際に携行し、化粧直しに使用した後、カバンや袋などに入れることが一般的である。そのため、ユーザーが歩行する際、カバンや袋などに入れられた電動回転マスカラブラシが揺れ、カバン等の中で他の物品との共存状態で誤接触によりスイッチが不用意にオン（開回路状態）し、電力を全て使い果たしてしまう虞があった。
【０００４】
かかる状況下において、特許文献１によれば、マスカラを容易にかつ均一に塗布することが可能な電動マスカラブラシであって、小型モータの回転数を適度に減速させるギヤを設け、マスカラブラシの軸をそれに接続させることにより自動的にブラシヘッドを一定速度で回転させ、また、ハンドル外部にスイッチを設置し、作動開始、停止、回転方向切替え等のコントロールを可能にする電動マスカラブラシが提案されている。
【０００５】
しかし、かかる提案による電動マスカラブラシにおいても、バッグ等の内部で携行中に誤接触による作動を防止する手段を設けるようなことについては開示されていない。
【０００６】
かかる開発の状況下において、本出願人は、特許文献２により、接触による誤作動防止装置を備えた電動マスカラブラシを提案したが、本考案に係る電動マスカラブラシは、誤接触防止簡易スイッチを具備したものであり、前記提案にかかる電動マスカラブラシをさらに改良したものである。
【特許文献１】特開２００５−９５５３１号公報
【特許文献２】実用新案登録第３１６０１４９号公報
【考案の開示】
【考案が解決しようとする課題】
【０００７】
従って、本考案の課題は、カバン等に入れ携行しても誤操作の生じない構造を有するマスカラブラシを提供することにある。
【課題を解決するための手段】
【０００８】
そこで、本考案者は、前記の本考案の課題を解決するために鋭意検討を重ねた結果、本体から瓶体をはずした場合において電源スイッチがオン状態となり、瓶体に嵌合した場合、スイッチがオフ状態となり、しかも、外表面に現われない構造とすることにより、前記課題を解決できることに着目し、かかる知見に基いて本考案に想到した。
【０００９】
すなわち、本考案の目的は、構造が簡素で、電動マスカラブラシを安全にオン（閉回路状態）することができる上、誤接触により不用意にオン（閉回路状態）することを防ぐことができる誤接触防止簡易スイッチを具備した電動マスカラブラシを提供することにある。
【００１０】
かくして、上記課題を解決するために、本考案によれば、誤接触防止簡易スイッチを具備する電動マスカラブラシであって、
本体、マスカラブラシ棒及び瓶体を備えてなり、
前記本体は、電源電気回路アッセンブリ及び駆動モータが配置されている収納空間を内部に有し、前記駆動モータは、電気回路コントロールスイッチにより制御され、モータ回転軸に連動部材が配置され、
前記マスカラブラシ棒は、一方の端部に前記連動部材が同軸で接続され、他方の端部にマスカラブラシヘッドが配置され、
前記瓶体には、前記マスカラブラシ棒が収納され、スリーブが瓶口に螺合され、
スライド式コントロールスイッチのスライドブロックの端部には、隠れるように保持軸が延設され、前記スライドブロックは、前記瓶体に前記本体を嵌合させると、前記瓶体の縁部に前記保持軸が当接され、突出された前記保持軸により前記スイッチが閉回路状態になり、前記瓶体から前記本体を外すと、前記スライドブロックが開回路の位置に移動し、電動マスカラブラシを安全に作動させることを特徴とする誤接触防止簡易スイッチを具備する電動マスカラブラシが提供される。
【考案の効果】
【００１１】
本考案の誤接触防止簡易スイッチを具備する電動マスカラブラシは、構造が簡素で、電動マスカラブラシを安全に作動させることができる上、カバン等の内部において、誤接触により不用意にオン（開回路状態、すなわち通電状態）することを防ぐことができる。
【図面の簡単な説明】
【００１２】
【図１】本考案の一実施形態による誤接触防止簡易スイッチを有する電動マスカラブラシを示す断面図である。
【図２】本考案の一実施形態による誤接触防止簡易スイッチを有する電動マスカラブラシを示す正面図である。
【図３】本考案の一実施形態による誤接触防止簡易スイッチを有する電動マスカラブラシを示す分解図である。
【図４】本考案の一実施形態による誤接触防止簡易スイッチを有する電動マスカラブラシの使用状態を示す模式図である。
【考案を実施するための最良の形態】
【００１３】
以下、本考案の実施形態について図面に基づいて説明する。なお、これによって本考案が限定されるものではない。
【００１４】
図１〜図４を参照する。図１〜図４に示すように、本考案の一実施形態による誤接触防止簡易スイッチを有する電動マスカラブラシは、本体１、マスカラブラシ棒２及び瓶体４を含む。
【００１５】
本体１は、電動マスカラブラシの把持部であり、内部に収納空間が設けられている。この収納空間内には、電源電気回路アッセンブリ１０及び駆動モータ１１が配置されている。駆動モータ１１は、電気回路コントロールスイッチ１２により制御される。連動部材１１０は、モータ回転軸に配置され、マスカラブラシ棒２に接続されている。
【００１６】
マスカラブラシ棒２は、一方の端部に連動部材１１０が同軸で接続され、他方の端部にマスカラブラシヘッド２０が配置されている。
【００１７】
本体１に瓶体４を嵌合させてマスカラブラシ棒２を収納すると、瓶体４に収納されているマスカラ液がマスカラブラシヘッド２０に付着し、直ちに使用できる状態になる。収納する際は、瓶口にスリーブ３を螺合させる。
【００１８】
スライド式電源コントロールスイッチ１２のスライドブロック１２０の端部には、本体１のケースの中に隠れるように保持軸１２ａが延設されている。瓶体４に本体１が嵌合されると、瓶体４の縁部に保持軸１２ａが当接し、保持軸１２ａが突出されているため、スイッチのスライドブロック１２０が常にオフ状態となる。瓶体４から本体１を外すと、スイッチのスライドブロック１２０がオンの位置に移動し、電動マスカラブラシを安全にオンすることができる。
【００１９】
上述の構造設計により、使用する前の状態では、瓶体４に本体１が嵌合されると、スイッチのスライドブロック１２０の側部に隠されている保持軸１２ａが押圧されてオフ（開回路状態）の位置に引き込まれ、誤接触により不用意にオン（閉回路状態）することを防ぐ状態となる。ユーザーが、マスカラブラシを使用するために、瓶体４から本体１を外すと、スライドブロック１２０が保持軸１２ａと共にスライドしてスイッチ１２がオンし、マスカラブラシを正常に使用することが可能となる。本体１を再び瓶体４に嵌合させると、瓶体４が再び保持軸１２ａの末端部に当接され、スイッチ１２が強制的に開回路状態になり、誤接触により不用意にオンすることを防ぐことができる。本考案の誤接触防止スイッチ構造設計は、全体的に非常に簡素である。また、保持軸が隠されるため、全体的に見た目が良く、誤接触を防止するためのスイッチも簡素化されているため、生産コストが少なく、従来の同類製品の設計面の欠点を克服し、製品の競争力を高めることができる。
【００２０】
本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２１】
１  本体
２  マスカラブラシ棒
３  スリーブ
４  瓶体
１０  電源電気回路アッセンブリ
１１  駆動モータ
１２  スイッチ
１２ａ  保持軸
２０  マスカラブラシヘッド
１１０  連動部材
１２０  スライドブロック
【図１】
0003165582.tif 000003
【図２】
0003165582.tif 000004
【図３】
0003165582.tif 000005
【図４】
0003165582.tif 000006